(57)【要約】【課題】  電子写真プロセスを用いた画像形成装置で使用される、静電潜像担持体に当接したファ−ブラシと該ファ−ブラシに関して像担持体の回転方向下流側において静電潜像担持体と当接するクリ−ニングブレ−ドを少なくとも有するクリ−ニング装置において、クリ−ニング不良の発生を防止する。【解決手段】  画像形成時には前記ファ−ブラシの周速は前記静電潜像担持体の周速より速く、画像形成を行っていない静電潜像担持体の回転時には前記ファ−ブラシの周速は前記静電潜像担持体の周速より遅く設定する。【選択図】  図２
2005077567.tif 000002
【特許請求の範囲】
【請求項１】
トナー像が形成される静電潜像担持体の表面に残留した転写残トナ−等の残留物を除去するクリ−ニング装置において、
該クリ−ニング装置は静電潜像担持体に当接したファ−ブラシと該ファ−ブラシに関して像担持体の回転方向下流側において像担持体と当接するクリ−ニングブレ−ドを少なくとも有し、
画像形成時には前記ファ−ブラシの周速は前記静電潜像担持体の周速より速く、
画像形成を行っていない静電潜像担持体の回転時には前記ファ−ブラシの周速は前記静電潜像担持体の周速より遅く設定したことを特徴とするクリ−ニング装置。
【請求項２】
画像形成回数に応じて、画像形成時の前記ファ−ブラシの周速を高速化し、画像形成を行っていない像担持体の回転時には前記ファ−ブラシの周速を低速化することを特徴とするする請求項１記載のクリ−ニング装置。
【請求項３】
前記画像形成回数は、前記静電潜像担持体の回転開始から停止までに実施した平均画像形成回数に応じて設定されることを特徴とするする請求項２記載のクリ−ニング装置。
【請求項４】
表面にトナ−像が形成される静電潜像担持体と、前記トナ−像を記録材に転写後、前記静電潜像担持体の表面に残留したトナ−等の残留物を除去する請求項１乃至３のいずれかに記載のクリ−ニング装置を備えたことを特徴とする画像形成装置。
【請求項５】
前記画像形成時から画像形成を行っていない静電潜像担持体の回転時へ移行したことを、定着装置における紙詰まりの発生を検知するセンサを用いて判断することを特徴とする請求項４記載の画像形成装置。  
【発明の詳細な説明】
【技術分野】
【０００１】
本発明は、静電潜像担持体の表面に残留したトナ−等の残留物を除去するクリ−ニング装置、及びこれを備えた複写機、プリンター、又はファクシミリ装置等の画像形成装置に関する。
【背景技術】
【０００２】
一般に、電子写真プロセスを用いた画像形成装置では、画像情報（印字情報）に基づいて感光体ドラム等の静電潜像担持体上に静電潜像を形成して、この静電潜像を現像器で現像し、像担持体上にトナー像を形成した後、トナー像を記録媒体（記録用紙）に転写している。
【０００３】
このような画像形成装置においては、像担持体上のトナー像を記録用紙に転写した際には、転写に寄与しなかったトナー等の残留物が不可避的に像担持体上に残留することになり、この残留トナー等の残留物を像担持体から除去する必要がある。このため、例えば、像担持体に対向させてクリーニング装置を配置して、このクリーニング装置によって、像担持体上に残留するトナ−等の残留物を除去・回収している。
【０００４】
前述のように、クリーニング装置は、感光体ドラムと対向して配置されており、ゴム等の弾性体からなるクリーニングブレードと、このクリーニングブレードの上流側（感光体ドラムの回転方向上流側）に配置されたファーブラシとを有しており、クリーニングブレードは感光体ドラム表面に当接し、ファーブラシは感光体ドラムを摺擦するようにして感光体ドラム表面の回転方向と同一の方向に回転駆動される。そして、感光体ドラム上の残留トナー等のを、まずファーブラシで除去した後、さらにクリーニングブレードによって感光体ドラム表面から残留トナーを掻き落とす。なお、トナ−以外の残留物としては記録紙である用紙から発生する紙粉やタルク等がある。
【０００５】
上述のようにして、感光体ドラムから除去された残留トナー等の残留物を、例えば、トナー搬送スクリュー（回収スパイラル）の回転によって排出経路に沿って搬送されて、廃トナーカートリッジ等に回収されることになる。
【０００６】
ところで、通常ファ−ブラシの線速は像担持体である感光体の線速よりも速く設定されているのであるが、ファ−ブラシの線速が遅過ぎると感光体表面にトナ−が融着して画像上にめだか状の画像欠陥が生じ、ファ−ブラシの線速が早過ぎると感光体ドラムの表面に形成された感光層が削れてしまい画質の劣化が生じるために、適宜なタイミングでファ−ブラシの周速を低速（感光体の周速よりは速い）と高速の間で切り替えるようにしている。（特許文献１参照）。    
【０００７】
【特許文献１】特開平１０−２５４３２３号公報（請求項１、段落（００３０）〜段落（００３７））
【発明の開示】
【発明が解決しようとする課題】
【０００８】
ところで、上述のように、感光体ドラムの線速より速い線速でファ−ブラシを用い続けると、常にブラシの繊維は感光体ドラムに対し順目状態で褶擦するため、画像形成を繰り返すとファ−ブラシの繊維は繊維のたなびく方向に変形していき、ファ−ブラシの外径も小さくなるために感光体ドラムに対する褶擦力が小さくなりクリ−ニング不良が発生するという課題があった。なお、このような課題の発生は感光体の径とファ−ブラシの径の比や画像形成の実施の仕方、トナ−の種類に依存するものと考えられる。
【０００９】
従って、本発明はかかる従来技術の問題に鑑み、画像形成の遂行に伴ってクリ−ニング不良の発生することのないクリ−ニング装置を提供することを目的とする。
【課題を解決するための手段】
【００１０】
そこで、本発明はかかる課題を解決するために、トナー像が形成される静電潜像担持体の表面に残留した転写残トナ−等の残留物を除去するクリ−ニング装置において、
該クリ−ニング装置は静電潜像担持体に当接したファ−ブラシと該ファ−ブラシに関して静電潜像担持体の回転方向下流側において像担持体と当接するクリ−ニングブレ−ドを少なくとも有し、画像形成時には前記ファ−ブラシの周速は前記静電潜像担持体の周速より速く、画像形成を行っていない静電潜像担持体の回転時には前記ファ−ブラシの周速は前記静電潜像担持体の周速より遅く設定したことを特徴とする。
【００１１】
本発明では、画像形成回数に応じて、画像形成時の前記ファ−ブラシの周速を高速化し、画像形成を行っていない像担持体の回転時には前記ファ−ブラシの周速を低速化する。
【００１２】
また、本発明では、前記画像形成回数は、前記静電潜像担持体の回転開始から停止までに実施した平均画像形成回数に応じて設定される。
【００１３】
さらに本発明では、画像形成時から画像形成を行っていない静電潜像担持体の回転時へ移行したことを、定着装置における紙詰まりの発生を検知するセンサを用いて判断する。
【発明の効果】
【００１４】
以上のように、トナ−像が形成される静電潜像担持体に当接したファ−ブラシと該ファ−ブラシに関して静電潜像担持体の回転方向下流側において静電潜像担持体と当接するクリ−ニングブレ−ドを少なくとも有するクリ−ニング装置において、画像形成時には前記ファ−ブラシの周速は前記静電潜像担持体の周速より速く、画像形成を行っていない静電潜像担持体の回転時には前記ファ−ブラシの周速は前記静電潜像担持体の周速より遅く設定したので、ファ−ブラシの繊維が順目方向になびいてファ−ブラシの径が小さくなることによるクリ−ニング不良の発生を防止できるという効果がある。
【００１５】
本発明では、また、画像形成回数に応じて、画像形成時の前記ファ−ブラシの周速を高速化し、画像形成を行っていない像担持体の回転時には前記ファ−ブラシの周速を低速化するようにしたので、例えばアモルファスシリコン感光体など寿命の長い感光体を用いた場合に、長期間のファ−ブラシの使用に伴うファ−ブラシの繊維の劣化に伴うクリ−ニング不良の発生を防止できるという効果がある。
【００１６】
本発明では、前記画像形成回数は、前記静電潜像担持体の回転開始から停止までに実施した平均画像形成回数に応じて設定されることにより、実際の画像形成の状況に応じてクリ−ニング不良の発生を防止できるという効果がある。
【００１７】
さらに、本発明のクリ−ニング装置は画像形成装置に適用可能であり、画像形成時から画像形成を行っていない静電潜像担持体の回転時へ移行したことを、定着装置における紙詰まりの発生を検知するセンサを用いて判断するので、画像形成装置に何等新規の部材を追加することなく、上記の判断を行うことが可能であるためコスト面で利点がある。
【発明を実施するための最良の形態】
【００１８】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００１９】
図１は本発明が適用された電子写真方式の画像形成装置であるデジタル式の複写装置５０の概略断面図を示している。複写装置５０はその最下方に複数の記録紙収納部３１を有し、その上方に両面ユニット３２が配置され、さらにその上方には画像形成部３３と定着装置３４が設けられている。更にその上部には画像読み取り装置３５、ＬＳＵ（レーザー走査光学系ユニット）４８と、最上部には自動原稿搬送装置３６が取り付けられている。
画像形成部３３には感光体ドラム４０の円周上に、帯電装置４１、現像装置４２、クリーニング装置４３及び除電装置４４が配置された作像部４５が設けられており、また、感光体ドラム４０に対向して転写装置２６が配置されている。なお、感光体ドラム４０、帯電装置４１、クリ−ニング装置４３及び除電装置４４はドラムユニット４７として一体化されている（ドラムユニット４７は図２に一点破線で囲った部分が含まれる）。感光体ドラム４０はアルミ円筒の表面に感光層が形成されており、図１において時計方向に回転駆動される。帯電装置４１はコロナ放電により回転する感光体ドラム４０の表面を＋３００Ｖ乃至＋４００Ｖに帯電させる。帯電装置４１の回転方向の下流側では画像読み取り装置３５で読み取られた原稿画像がデジタル変換された後、画像形成に必要な各種処理がなされた後レーザー発光信号に置き換えられ、ＬＳＵ４８から原稿画像に対応したレーザー光が照射されて感光体ドラム４０に照射されて、感光体ドラム４０表面に静電潜像が形成される。
【００２０】
現像装置４２では現像ローラ４２ａが回転して、現像ローラ表面に形成された磁気ブラシが感光体ドラム表面に接触して、静電潜像に対してトナーを付着させてトナー画像を形成する。なお現像装置４２に収容された現像剤は２成分現像剤であり、磁性キャリア（体積平均粒径５０μｍ）と磁性トナ−（体積平均粒径７μｍ）で構成され、磁性キャリアと磁性トナ−の混合比率は１００：５である。本画像形成装置では現像装置４０に図示しないトナ−コンテナから補給された磁性トナ−と現像剤を良く混合するため画像形成前と後に作像ユニット４５を３０秒間回転させている。ここで記録紙はトナ−画像の形成に応じて、複数の記録紙収納部３１の一つから給紙ロ−ラ対２１によって給紙され、さらに複数の搬送ロ−ラ対２２によってレジストロ−ラ対２３まで搬送される。レジストロ−ラ対２３で記録紙は一旦停止して、感光体ドラム４０表面へのトナ−像の形成とタイミングをとって、記録紙は感光体ドラム４０と転写装置２６の転写ベルト２６ａとで形成される転写ニップへ向けて再び搬送される。トナー画像は転写装置２６において、記録用紙が感光体ドラム４０の周速と同じ速度で移動する転写ベルト２６ａとの間に挟持された状態で搬送されながら転写ロ−ラ２６ｂから転写バイアスが印加されて記録紙上に転写される。
【００２１】
トナ−像が転写された記録紙は定着装置３４まで搬送されて、定着ロ−ラ３４ａと加圧ロ−ラ３４ｂの間に形成された定着ニップを通過する際に加圧過熱されて、トナ−像が記録紙に定着された後、排紙経路２４を経由して排紙トレイ２５に排出される。なお、記録紙のもう一方の面にも画像形成を行う場合には、記録紙は定着装置３４でトナ−像が定着された後、両面ユニット３２に搬送され、両面ユニット内で搬送方向が反転された後、再度画像形成部３３に搬送されてもう一方の面に画像形成が行われる。なお、トナ−像転写後に感光体ドラム４０表面に残留した転写残トナ−等の残留物はクリーニング装置４３によって除去される。クリ-ニングの感光体表面はＬＥＤ等を用いた除電装置４４により除電作用を受けた後、繰り返し画像形成を行う場合は再び帯電装置４１によって感光体ドラム４０の表面が帯電されて上述の工程が繰り返される。
【００２２】
図２はクリーニング装置４３の詳細断面図である。図２に示すように，クリーニング装置４３はハウジング４と感光ドラム４０に当接（圧接）されたファーブラシ（トナー掻き取り手段）１を回転自在に具備し，さらにファ−ブラシ１の感光体ドラム４０の回転方向下流には感光体ドラム４０表面にその端部が当接するクリ−ニングブレ−ド５が配置されている。トナ−像転写後に感光体ドラム４０表面に残留した転写残トナ−等の残留物はファ−ブラシによってかき乱されることによって感光体ドラム４０との付着力を弱められた後にクリ−ニングブレ−ド５によって感光体ドラム４０表面から除去される。感光体ドラム４０表面から除去された転写残トナ−等の残留物は一旦ファ−ブラシ１保持された後、ファ−ブラシ１の回転によってファ−ブラシ１の周面に当接したスクレ−パ１４との当接位置まで運ばれ、スクレ−パ14とファ−ブラシ１の当接によって弾性変形したファ−ブラシ１の繊維の反発力によって転写残トナ−等の残留物はファ−ブラシから飛び出し、搬送スパイラル１１付近に落下する。搬送スパイラル付近に落下した転写残トナ−等の残留物は、感光体ドラム４０の回転軸方向に延在した搬送スパイラル１１によって感光体ドラム４０の軸方向に搬送されさらに図示しない廃棄トナ−搬送経路を経由して図示しないトナ−廃棄容器に回収される。なお、トナ−廃棄容器はその満杯が検知されることによって未使用のものと交換される。
【００２３】
ここで、ファ−ブラシ１はその回転軸１ａに繊維１ｂが植毛されたものであり、直径１０ｍｍの金属製の回転軸１ａに繊維１ｂを植毛した布材を巻き付けて製作され、ファ−ブラシ１の繊維１ｂは６デニ−ルのナイロン製の単繊維を３５本束ねた繊維（太さ１２０デニ−ル）を、植毛密度３９０００本／ｉｎｃｈ２（単繊維当たり植毛密度）で基材に植毛したものである。なお繊維の長さは４．５ｍｍである。また、感光体ドラムの径は８０φであり、ファ−ブラシ１と感光体ドラム４０係合長さは１．２ｍｍ、ファ−ブラシ１とスクレ−パ１４の係合長さは１．０ｍｍである。感光体ドラム４０とファ−ブラシ１は矢印で示したように両者の当接ニップ部で同じ方向に回転するように設定されている。
【００２４】
ブレード５はウレタンゴム製であり，ブレ−ドホルダ５ａに接着されている。ブレ−ドホルダ５ａにはブレ−ド保持部材５ｂが取り付けられており、このブレ−ド保持部材５ｂにはハウジング４に配設された支軸５ｃに関して回動可能となっている。ブレ−ド保持部材５ｂのブレ−ドホルダ−５ａと反対側に設けられた錘り５ｄにより感光ドラム４０の表面にブレ−ド５が押圧されている。搬送スパイラル１１はその回転軸１１ａに螺旋状の連続した羽根部材1１ｂが取付けられている。なお、感光体ドラム４０としてはその径が８４φの正帯電単層有機感光体（寿命は約１０万回の画像形成に相当）を用いた。
【００２５】
上述のような装置において、感光体ドラム４０の周速よりもファ−ブラシ１の周速を速く、感光体ドラム４０の周速を４００ｍｍ／ｓ、ファ-ブラシ１の周速を４６０ｍｍ／ｓに設定したままで画像形成を繰り返し行った。なお。、本実験で用いた記録紙の印字率は５％に設定し、１０枚印刷後一旦２秒装置を停止し再度１０枚印刷するという工程を繰り返した。複写機５０では印刷動作をキャンセルしない限り、このような動作を繰り返すようにプログラムされている。図３（ａ）に示したようにファ-ブラシ１の繊維１ｂは感光体ドラム４０に対し常に順目状態で褶擦するため、画像形成を繰り返すとファ−ブラシ１の繊維１ｂは繊維のたなびく方向に変形していき、ファ−ブラシ１の外径も小さくなるために感光体ドラムに対する褶擦力が小さくなりクリ−ニング不良が発生することがあった。また上述のようにファ−ブラシ１の外径が小さくなると、ファ−ブラシ１とスクレ−パ１４の係合長さが減少するため、ファ−ブラシ１の繊維１ｂに付着した転写残トナ−等の残留物をファ−ブラシ１とスクレ−パ-１４との係合によって充分除去することがファ−ブラシ１の繊維１ｂが目詰まりしてしまい、クリ−ニングブレ−ド５が感光体ドラム４０表面から除去した転写残トナ−等の残留物をファ−ブラシ１の繊維１ｂで充分保持できなくなるため、ファ−ブラシ１と感光体ドラム４０とのニップ部で再び感光体ドラム４０の表面に上記転写残トナ−等の残留物は感光体表面に押しつけられて付着するため、クリ−ニングブレ−ド５によって感光体ドラム４０表面から充分転写残トナ−等の残留物を除去できなくなってしまう。
【００２６】
そこで、本発明者は画像形成後に、ファ−ブラシ１の周速を変化させる実験を行った。
なお、１０枚印刷の最後の画像形成後にファ−ブラシ１の線速を感光体ドラム４０の線速より遅い３４０ｍｍ／ｓに設定した。線速を切り替えるタイミングは５枚目のトナ−像が転写位置を通過後、記録紙の後端が定着ニップを通過した直後に行う。このようなタイミングでファ−ブラシ１の周速を切り替ええたので、ファ−ブラシ１の周速の切り替えに伴う衝撃によって画像に乱れが発生することが防止できた。なお、定着ニップ位置の記録紙後端の通過の検知は、定着ニップの下流側に配設されている定着装置内での紙詰まりの発生を検知する定着ジャム検知センサ２７の出力を用いて行う。つまり定着ジャム検知センサ２７を記録紙の後端が通過したことが検知されると、ファ−ブラシ１の周速は低下させられる。上述のようにファ−ブラシ１の線速を切り替えることによって画像形成中に一旦順目方向にたなびいたファ−ブラシ１の繊維１ｂは図３（ｂ）に示すように、逆目方向に起こすため繊維１ｂが一方向に変形することが防止できる。またファ−ブラシ１の周速を切り替えることによってファ−ブラシ１の繊維１ｂがほぐされ、繊維１ｂに保持されたトナ−を掻き出す効果もあると考えられる。このようにファ−ブラシ１の周速を切り替えることによって感光体ドラム４０にクリ−ニング不良が発生することを有効に防止することができた。なお、ドラムユニット４７は感光体ドラム４０が寿命になると未使用品と交換される。
【実施例２】
【００２７】
感光体ドラム４０として感光体単体のその寿命が１００万回以上の画像形成に相当するアモルファスシリコン感光体を用いた以外は実施例１と同じ構成である。なお、感光体自体の寿命は上述のように長いが、クリ−ニングブレ−ド５やクリ−ニング装置４３内に配置されている図示しないシ−ル類が磨耗してしまうためドラムユニットの寿命は６０万回の画像形成に設定されている。
【００２８】
このような、構成で実施例１と同じ条件で画像形成を繰り返すと２５万回画像形成を行った時点で、画像上にクリ−ニング不良による汚れが発生した。この原因はファ−ブラシ１の繊維１ｂの先端が感光体ドラム４０やスクレ−パ１４との接触の繰り返しによって徐々に摩滅し、また先端が細くなることによってクリ−ニング性能の維持に充分寄与しなくなったためである。そのため、本発明者は、ファ−ブラシの周速を４９０ｍｍ／ｓに増速して画像形成を行ったところ再び良好な画像が得られた。しかしながらさらに２９万回まで画像形成を行った時点で、再び画像にクリ−ニング不良による画像汚れが発生した。この原因を検討したところ、ファ−ブラシ１の周速を増加させたことによってファ−ブラシ１と感光体ドラム４０の相対速度が増加し、ファ−ブラシ１の繊維１ｂが順目方向により大きくたなびいてしまうことが原因であることがわかった。そのため５枚印刷の最後の画像形成後にファ−ブラシ１の線速が高すぎるのではないかと考えてファ−ブラシ１の線速を３１０ｍｍに設定したところ良好な画像が得られた。
【００２９】
さらに４７万回まで画像形成を行った時点で再びクリ−ニング不良による画像汚れが出力された画像に発生した。この原因を調査したところ、ファ−ブラシ１の繊維１ｂの先端がさらに摩滅し、また先端が細くなることによってクリ−ニング性能の維持に充分寄与しなくなったことが原因と判明した。そのためファ−ブラシ１の周速を５２０ｍｍ／ｓまで増加させたところ再び良好な画像が得られた。ところがさらに５２万回まで画像形成を行った時点で画像に再びクリ−ニング不良による画像汚れが発生した。この原因を調査したところ、ファ−ブラシ１の周速を増加させたことによってファ−ブラシ１と感光体ドラム４０の相対速度が増加し、ファ−ブラシ１の繊維１ｂが順目方向により大きくたなびいてしまうことが原因であることがわかった。そのため５枚印刷の最後の画像形成後にファ−ブラシ１の線速が高すぎるのではないかと考えてファ−ブラシ１の線速を２８０ｍｍに設定したところ良好な画像が得られた。
【００３０】
実際の複写機５０のクリ−ニング装置４３のファ−ブラシ１の周速の設定は余裕を見て表１のように設定した。
【表１】
2005077567.tif 000003
【実施例３】
【００３１】
実施例１及び２では１０回連続して画像形成を行った後にファ−ブラシの周速を遅くする制御を繰り返し行ったが、実際のユ−ザにおける画像形成状況はこのような単純なものではないため、感光体ドラム４０の起動から停止までを画像形成単位と呼び、この画像形成単位において何回の画像形成が行われたかを把握し、１５万回までの画像形成の内、画像形成単位における平均画像形成回数が５以下の場合は、１５万回で表１ステップ２を実施するようにする。これは本実施例に用いた複写機５０の１回の画像形成に要する時間は１秒程度であるため、上述のうようなファ−ブラシの劣化は実行した画像形成単位に依存するためである。ある画像形成回数までに実施した画像形成単位の数は、その画像形成までに実施した回数画像形成単位の平均画像形成回数が少ないほど多くなる。
【００３２】
ファ−ブラシの周速を変更した時点で、複写機５０にファ−ブラシ１の使用に関して記憶されている画像形成回数をリセットし、さらに１５万枚経過した時点（複写機５０の使用開始から３０万回）までに実施した画像形成単位の平均画像形成回数が５以下の場合は、表１のステップ３の線速にファ−ブラシ１の線速を変更し、１５万回の時点までに実施した画像形成単位の平均画像形成回数が５より大の場合はファ−ブラシの線速を変更しないで２０万回まで画像形成を実施し、２０万回経過した時点（複写機５０の使用開始から３５万回）までに実施した画像形成単位の平均画像形成回数が１５以下の場合は、この時点でファ−ブラシの線速を表１のステップ３に変更する。２０万回の時点までに実施した画像形成単位の平均画像形成回数が１５より大の場合はファ−ブラシの線速を変更しないで２５万回まで画像形成を実施し、２５万回に到達した時点（複写機５０の使用開始から４０万回）でステップ３の周速にファ−ブラシ１の周速を変更する。
【産業上の利用可能性】
【００３３】
静電潜像担持体に当接したファ−ブラシと該ファ−ブラシに関して像担持体の回転方向下流側において静電潜像担持体と当接するクリ−ニングブレ−ドを少なくとも有するクリ−ニング装置のファ−ブラシの周速の制御に本発明を採用すれば、簡単な制御でクリ−ニング不良の発生を防止でき、複写機、プリンター、又はファクシミリ装置等の電子写真プロセスを用い画像形成装置において画像不良の防止に適用できる。
【図面の簡単な説明】
【００３４】
【図１】本発明が適用されたクリ−ニング装置が用いられる画像形成装置を概略的に示す図である。
【図２】本発明が適用されたクリ−ニング装置の断面を概略的に示す図である。
【図３】本発明によるファ−ブラシと感光体ドラムの接触状態を示す概略図である。
【符号の説明】
【００３５】
１    ファ−ブラシ
５    クリ−ニングブレ−ド
１４  スクレ−パ  
２６  転写装置
２７  定着ジャム検知センサ
３４  定着装置
４０  感光体ドラム
４１  帯電装置
４２  現像装置
４３  クリーニング装置
４４  除電装置
【図１】
2005077567.tif 000004
【図２】
2005077567.tif 000005
【図３】
2005077567.tif 000006